(57)【要約】【課題】          理美容院で使用する理美容椅子の脚下面に設けられるアジャスタのネジや六角ナットなどが顧客などの視覚に入らないようにし、また理美容院で使用する薬剤や水が露出したアジャスタに設けられるネジ部分にかからない、さらには電源コードなどがアジャスタのネジ部に引っ掛からない理美容椅子のアジャスタ装置を提供する。【解決手段】        理美容椅子の先端脚柱部１ａに設けられ、かつ内面に雌ねじ部１ｃを有するアジャスタ挿入孔１ｂを設け、またアジャスタ挿入孔１ｂの雌ねじ部１ｃに螺合して高さ調整できるアジャスタ５を設けることにより、ロックネジ６により該アジャスタ５の中心部に貫通させて設けられるロックネジ挿通部５ｄに挿通し、該脚柱部１ａ内面に設けられるロックネジ挿入孔１ｂの内面に設けられる雌ねじ部１ｃとネジ締めすることにより前記アジャスタ５を適宜位置で係止固定させるようにした。【選択図】          図２
0003147040.tif 000002
【実用新案登録請求の範囲】
【請求項１】
雌ネジが形成されたアジャスタ挿入孔および該アジャスタ挿入孔の上部にアジャスタ挿入孔側から形成されたロックネジ用雌ネジ部を有する理美容椅子の脚柱部と、
前記アジャスタ挿入孔の雌ネジに螺合され高さ調整が可能で、かつ、中心部にロックネジ挿通部が形成されたアジャスタと、
該アジャスタの下面側から前記ロックネジ挿通部を貫通して前記脚柱部のロック用雌ネジ部に螺合されるロックネジとから構成し、
前記ロックネジを緩めた状態で前記アジャスタを回転して高さ調整を行った後に前記ロックネジを締めつけてアジャスタを係止固定したことを特徴とする理美容椅子のアジャスタ装置。
【請求項２】
雌ネジが形成されたアジャスタ挿入孔および該アジャスタ挿入孔の上部に上方側から形成されたロックネジ挿通部を有する理美容椅子の脚柱部と、
前記アジャスタ挿入孔の雌ネジに螺合され高さ調整が可能で、かつ、中心部に雌ネジ部を有するロックネジ挿通部が形成されたアジャスタと、
前記脚注部の上方側から前記ロックネジ挿通部を貫通して前記アジャスタのロックネジ挿入孔に形成された雌ネジ部に螺合されるロックネジとから構成し、
前記ロックネジを前記アジャスタから外した状態で前記アジャスタを回転して高さ調整を行った後に前記ロックネジでアジャスタを締め付けてアジャスタを係止固定したことを特徴とする理美容椅子のアジャスタ装置。
【請求項３】
雌ネジが形成されたアジャスタ挿入孔および該アジャスタ挿入孔の上部に上方側から形成され内面にロックネジ用雌ネジ部が形成されたロックネジ挿入孔を有する理美容椅子の脚柱部と、
前記アジャスタ挿入孔の雌ネジに螺合され高さ調整が可能で、かつ、中心部にロックネジ挿通部が形成されたアジャスタと、
前記ロックネジ挿入孔のロックネジ用雌ネジにねじ込むことで先端が前記アジャスタのロックネジ挿通部の終端部に達するロックネジとから構成し、
前記アジャスタを回転して高さ調整を行った後に、前記ロックネジを締め付け該ロックネジの下端をアジャスタの前記ロックネジ挿通部の終端部に当接させることでアジャスタの回転を阻止して係止固定したことを特徴とする理美容椅子のアジャスタ装置。
【請求項４】
アジャスタ挿入孔および該アジャスタ挿入孔の上部に上方側から形成され内面にロックネジ用雌ネジ部が形成されたロックネジ挿入孔を有し、かつ、前記ロックネジ挿入孔の外周に切り溝が形成された理美容椅子の脚柱部と、
前記切り溝に回転自在に挿入されたローレットナットと、
該ローレットナットに螺合されローレットナットを回転することで高さ調整が可能で、かつ、中心部にロックネジ挿通部が形成されたアジャスタと、
前記ロックネジ挿入孔のロックネジ用雌ネジに螺合した状態でネジ込むことで先端が前記アジャスタのロックネジ挿通部の終端部に達するロックネジとから構成し、
前記ローレットナットを回転して高さ調整を行った後に、前記ロックネジを締め付け、該ロックネジの下端をアジャスタの前記ロックネジ挿通部の終端部に当接させることでアジャスタの回転を阻止して係止固定したことを特徴とする理美容椅子のアジャスタ装置。
【考案の詳細な説明】
【技術分野】
【０００１】
本考案は、理美容院等で頭髪のセット時やカット時などに使用する理美容椅子の脚に設けられるアジャスタに関する。
【背景技術】
【０００２】
一般の椅子に設けられるアジャスタとしては、特許文献に示すように、前脚及び後脚がアジャスタを介して床面に接地される椅子において、前脚のアジャスタの後部に隣接する位置に、アジャスタ調節位置に応じて選択的にアジャスタよりも優先して床面に接地させることの可能なキャスタを取着して、椅子を簡易に移動かつ固定できる椅子があり、脚の下面には、床面Ｆに接地可能な円板状のアジャスタ本体３ａと、このアジャスタ本体３ａの上面より上方に向けて突出するネジ部３ｂとで構成されるアジャスタが開示されている。特許文献に示されるアジャスタにおいては、前記したように、円板状のアジャスタ本体３ａ上面には椅子脚下面に設けられるネジ孔に螺合するネジ部３ｂの螺旋部分が露出している。
【０００３】
また理美容院等で頭髪のセットやカットなどに使用される理美容椅子は、複数本の脚、特に放射状に配置された５本脚等で、背凭れを有する椅子座が支持されている。
理美容椅子が設置される理美容院の床面の仕上げ時に水平になっていない状態の床や凸凹などが残った状態で、これらの要因によりガタなどが生じる状態で置かれた椅子を安定させるため、それぞれの脚にはアジャスタが設けられている。
【０００４】
理美容院などで使用される理美容椅子の脚などに設けられるアジャスタについては図１３〜図１５で説明する。
これによると、後述する椅子脚の先端部の脚１の下面部にアジャスタ１２が設けられ、下方に座板部１２ａを有し、該アジャスタ１２ａの上面には雄ネジ部１２ｂが一体的に設けられている。
【０００５】
前記脚１の下面内部には雌ネジ部１ｌを有し、前記アジャスタ１２の雄ネジ部１２ｂが前記雌ネジ部１ｌと螺合するようにして設けられ、該アジャスタ１２の座板部１２ａを回すことにより、該アジャスタ１２の高さを調整するように構成されている。
【０００６】
１３は六角ナットであり、前記脚１とアジャスタ１２に設けられる座板部１２ａの上面との間に設けられ、前記アジャスタ１２の雄ネジ部１２ｂ部と螺合して、前記アジャスタ１２の高さを調整した後に、前記六角ナット１３を締めて脚１下面と接するまで締め付けることにより、アジャスタ１２を固定するようにしている。
【０００７】
【特許文献１】特開平８−２１４９８４号
【考案の開示】
【考案が解決しようとする課題】
【０００８】
ところで、特許文献に示す一般の椅子のアジャスタにおいては、前記したように、円板状のアジャスタ本体３ａ上面には椅子脚下面に設けられるネジ孔に螺合するネジ部３ｂが外面に露出して設けられているため、ネジ部３ｂが外気にふれるまた水等が掛かることにより、サビや腐食が発生する頻度や速度が早くなるなどの問題があった。
またネジ部３ｂが外面に露出することにより、ネジ部３ｂが理美容院での顧客等の視覚に入り、理美容椅子自体の美観を損なうなど、美観を損なわない理美容椅子用脚のアジャスタが望まれていた。
【０００９】
さらに図１３〜図１５に示す理美容椅子等に設けられるアジャスタにおいても、同様に椅子脚下面内部に設けられる雌ネジ部１ｌに螺合するアジャスタ１２の雄ネジ部１２ｂが外面に露出して設けられているため、該ネジ部１２ｂが外気にふれ、理美容院などで使用する薬剤や水等が掛かることにより、サビや腐食が発生する頻度や速度も早くなるなどの問題があり、前記アジャスタのネジ部分を外面に露出させないという課題があった。
【００１０】
またアジャスタ１２の雄ネジ部１２ｂや六角ナット１３が外面に露出することにより、アジャスタ１２の雄ネジ部１２ｂや六角ナット１３などが理美容院での顧客の視覚に入り、美観を損なうなどの問題があり、前記ネジ部等が見えないようにすることが課題であった。
【００１１】
さらには前記特許文献に示す従来の一般の椅子および理美容院で使用される理美容椅子のアジャスタでは、アジャスタを引き出した状態でアジャスタの下端に設けられる円盤状のアジャスタの座板部と脚柱部の下端との間に電源コードＡ（図１５に示す）などが引っ掛かり、また露出するアジャスタのネジ部はネジであるため径が細く、またネジ部の凸凹部分に絡み易く、かつ絡んだ場合に電源コードなどを引っ張るとネジとの摩擦で引っ張り難く、また摩擦抵抗等でコードを破損するといった問題があり、これらの問題を解消することが課題であった。
【００１２】
本考案は前記した課題を解決せんとするもので、その目的とするところは、理美容院で使用する理美容椅子の脚下面に設けられるアジャスタのネジや六角ナットなどが顧客などの視覚に入らないようにし、また理美容院で使用する薬剤や水が露出したアジャスタに設けられるネジ部分にかからない、さらには電源コードなどがアジャスタのネジ部に引っ掛からない理美容椅子のアジャスタ装置を提供せんとするにある。
【課題を解決するための手段】
【００１３】
本考案の理美容椅子のアジャスタ装置は、前記目的を達成せんとするもので、請求項１の手段は、雌ネジが形成されたアジャスタ挿入孔および該アジャスタ挿入孔の上部にアジャスタ挿入孔側から形成されたロックネジ用雌ネジ部を有する理美容椅子の脚柱部と、
前記アジャスタ挿入孔の雌ネジに螺合され高さ調整が可能で、かつ、中心部にロックネジ挿通部が形成されたアジャスタと、
該アジャスタの下面側から前記ロックネジ挿通部を貫通して前記脚柱部のロック用雌ネジ部に螺合されるロックネジとから構成し、
前記ロックネジを緩めた状態で前記アジャスタを回転して高さ調整を行った後に前記ロックネジを締めつけてアジャスタを係止固定した。
【００１４】
請求項２の手段は、雌ネジが形成されたアジャスタ挿入孔および該アジャスタ挿入孔の上部に上方側から形成されたロックネジ挿通部を有する理美容椅子の脚柱部と、
前記アジャスタ挿入孔の雌ネジに螺合され高さ調整が可能で、かつ、中心部に雌ネジ部を有するロックネジ挿通部が形成されたアジャスタと、
前記脚注部の上方側から前記ロックネジ挿通部を貫通して前記アジャスタのロックネジ挿入孔に形成された雌ネジ部に螺合されるロックネジとから構成し、
前記ロックネジを前記アジャスタから外した状態で前記アジャスタを回転して高さ調整を行った後に前記ロックネジでアジャスタを締め付けてアジャスタを係止固定した。
【００１５】
請求項３の手段は、雌ネジが形成されたアジャスタ挿入孔および該アジャスタ挿入孔の上部に上方側から形成され内面にロックネジ用雌ネジ部が形成されたロックネジ挿入孔を有する理美容椅子の脚柱部と、
前記アジャスタ挿入孔の雌ネジに螺合され高さ調整が可能で、かつ、中心部にロックネジ挿通部が形成されたアジャスタと、
前記ロックネジ挿入孔のロックネジ用雌ネジにねじ込むことで先端が前記アジャスタのロックネジ挿通部の終端部に達するロックネジとから構成し、
前記アジャスタを回転して高さ調整を行った後に、前記ロックネジを締め付け該ロックネジの下端をアジャスタの前記ロックネジ挿通部の終端部に当接させることでアジャスタの回転を阻止して係止固定した
【００１６】
請求項４の手段は、アジャスタ挿入孔および該アジャスタ挿入孔の上部に上方側から形成され内面にロックネジ用雌ネジ部が形成されたロックネジ挿入孔を有し、かつ、前記ロックネジ挿入孔の外周に切り溝が形成された理美容椅子の脚柱部と、
前記切り溝に回転自在に挿入されたローレットナットと、
該ローレットナットに螺合されローレットナットを回転することで高さ調整が可能で、かつ、中心部にロックネジ挿通部が形成されたアジャスタと、
前記ロックネジ挿入孔のロックネジ用雌ネジに螺合した状態でネジ込むことで先端が前記アジャスタのロックネジ挿通部の終端部に達するロックネジとから構成し、
前記ローレットナットを回転して高さ調整を行った後に、前記ロックネジを締め付け、該ロックネジの下端をアジャスタの前記ロックネジ挿通部の終端部に当接させることでアジャスタの回転を阻止して係止固定した。
【考案の効果】
【００１７】
本考案の理美容椅子のアジャスタ装置は、アジャスタを脚柱部より引出しても、従来のアジャスタの外面に設けられるネジ部が外面に露出しないようになっているため、理美容院などで使用する薬剤や水等が掛かりにくくなり、サビや腐食などが発生頻度や速度を遅くできるようになっている。
またアジャスタのネジ部が外面に露出していないため、ネジ部分が視覚に入ることもなく、理美容院に来る顧客の視覚に入ることなく、美観を損なうなどの問題もない。
【００１８】
さらにはアジャスタの下端円盤状の座板部の出っ張りを少なくしているため、アジャスタの下端円盤状の座板部と脚柱部の下端との間に電源コードなどが引っ掛かっても絡みにくく、かつ絡んだ場合に、ネジ部が露出していないため、電源コードなどを引っ張っても電源コードなどを破損することはない。
【考案を実施するための最良の形態】
【００１９】
理美容院等で使用される理美容椅子のアジャスタ装置において、理美容椅子の先端脚柱部に設けられ、かつ内面に雌ねじ部を有するアジャスタ挿入孔と、前記アジャスタ挿入孔の雌ねじ部に螺合して高さ調整できるアジャスタを設け、ロックネジを該アジャスタの中心部に貫通させて設けられるロックネジ挿通部に挿通し、該脚柱部内面に設けられるロックネジ挿入孔の内面に設けられる雌ねじ部にネジ締めすることにより前記アジャスタを適宜位置で係止固定させるようにした。
【実施例１】
【００２０】
以下、本考案に係る理美容椅子のアジャスタ装置の第一の実施例を図面とともに説明する。
図１は理美容椅子の全体図、図２は第一の実施例のアジャスタを下げた状態の断面図、図３は第一の実施例のアジャスタを上げかつ係止固定した状態の断面図である。
【００２１】
アジャスタを上げていない状態図である図２で説明すると、１は脚であり、１ａは前記脚の先端に設けられる脚柱部である。２は椅子座（表示せず）を昇降させるための駆動部が内蔵される昇降部であり、３は椅子座が取り付けられる昇降杆で、４は椅子座の昇降操作を行うための昇降用ペダルである。
【００２２】
１ｂは前記脚柱部１ａの内面に設けられるアジャスタ挿入孔で、１ｃは前記アジャスタ挿入孔１ｂの内面には設けられる雌ネジ部である。
１ｄは前記脚柱部１ａに設けられるロックネジ挿入孔であり、１ｅは該ロックネジ挿入孔１ｄの内面に設けられるロックネジ用雌ネジ部である。
５はアジャスタであり、５ａはアジャスタ座板部であり５ｂは前記アジャスタ５の外面部に設けられる雄ネジ部である。
【００２３】
５ｃは前記アジャスタ５の中心部に貫通させて設けられるロックネジ貫通部である。またアジャスタ５の底部には皿孔部５ｄが施されている。６はロックネジであり、６ａはロックネジの頭皿部である。
以上のように構成されていることにより、アジャスタ５の引き出し量を調整して係止固定させる際の動作について、図３で説明すると、アジャスタ５の引き出し量を長くする時は、該ロックネジ６を、脚柱部１ａに設けられるロックネジ挿入孔１ｄに設けられるロックネジ用雌ネジ部の螺合を緩めて、該ロックネジ６をロックネジ用雌ネジ部１eから外す。
【００２４】
次に、アジャスタ５を回すことにより、雄ネジ部５ｂと前記アジャスタ挿入孔１ｂに設けられる雌ネジ部１ｃとの螺合を緩め、下方向に移動させて脚１の高さを上げることができ、アジャスタ５を設定した位置で、前記ロックネジ６をロックネジ用雌ネジ部１eに螺合させて閉め、ロックネジ６の頭皿部６ａがアジャスタ５の皿孔部５ｄに当接するまで締めることによって、アジャスタ５の設定した高さで係止固定することができる。
【００２５】
本実施例でのアジャスタ５とロックネジ６の締め付けの関係については、アジャスタ５を下げる動作、すなわちアジャスタ５を引き出す方向にアジャスタ５を調整する場合、アジャスタ５に形成されている雄ネジ部５ｂを、ロックネジ６が締まる方向にネジを切っていれば、ロックネジが締まった（アジャスタ５が係止固定された）状態では、ロックネジ６の頭皿部６ａがアジャスタ５に設けられる皿孔部５ｄに当たっているため、アシャスタ５が緩む方向では前記ロックネジ６が締まる方向にしておき、アジャスタ５を動かせないようにすることが望ましい。
【００２６】
このようにして、簡易にアジャスタ５の高さを調整し、かつ係止固定させることができ、アジャスタ５の雄ネジ部５ｂが露出することを避けることができるようになっている。
またアジャスタ５の座板部５ａの出っ張りが小さいため、電源コードなどを引っ掛けることもなく、アジャスタ５の雄ネジ部５ｂの突起した凸部がないため電源コードなどを損傷させることもない。
【実施例２】
【００２７】
以下、本考案に係る理美容椅子のアジャスタ装置の第二の実施例を図面とともに説明する。なお前記第一の実施例と共通するものは共通の符号を使用するものとする。
図４は第二の実施例のアジャスタを下げた状態の断面図、図５は第二の実施例のアジャスタを上げかつ係止固定した状態の断面図である。
【００２８】
アジャスタを上げていない状態図である図４で説明すると、１ｂは前記脚柱部１ａの内面に設けられるアジャスタ挿入孔で、１ｃは前記アジャスタ挿入孔１ｂの内面には設けられる雌ネジ部である。
１ｆは前記脚柱部１ａに設けられるロックネジ挿通部であり、１ｇは後述するロックネジ６の頭皿部６ａが係止される係止部である。
【００２９】
５はアジャスタであり、５ａはアジャスタ座板部であり、５ｂは前記アジャスタ５の外面部に設けられる雄ネジ部である。
５ｅは前記アジャスタ５の中心部に貫通させて設けられるロックネジ挿入孔であり、５ｆは該ロックネジ挿入孔５ｅの内面には設けられる雌ネジ部である。
６はロックネジであり、６ａはロックネジ６の頭皿部である。
【００３０】
本実施例でのアジャスタ５とロックネジ６の締め付けの関係については、アジャスタ５を引き出す動作、すなわち脚１を上げる方向にアジャスタ５を調整する場合、アジャスタ５に設けられる雄ネジ部５ｂを、ロックネジ６が締まる方向にネジを切っていれば、ロックネジが締まった（アジャスタ５が係止固定された）状態では、ロックネジ６の頭皿部６ａがアジャスタ脚柱部１ａ設けられる皿孔部１ｇに当たっているため、アシャスタ５が緩む方向では前記ロックネジ６が締まる方向にしておき、アジャスタ５を動かせないようにすることが望ましい。
【００３１】
以上のように構成されていることにより、アジャスタ５の引き出し量を調整して係止させる際の動作について、図５で説明すると、アジャスタ５を引き出す時は、該アジャスタ５に設けられるロックネジ挿入孔５ｅの内面に設けられる雌ネジ部５ｆと螺合しているロックネジ６を緩めて、アジャスタ５の螺合を離す。
【００３２】
次に、前記したようにアジャスタ５とロックネジ６との螺合を外した後、アジャスタ５の座板部５ａを回すことにより、アジャスタ５の雄ネジ部５ｂと前記アジャスタ挿入孔１ｂに設けられる雌ネジ部１ｃとの螺合を緩め、下方向に移動させてアジャスタ５の引き出し量を上げることができる。
【００３３】
アジャスタ５の引き出し量を設定した位置で、ロックネジ６を回して、ロックネジ挿入孔５ｅの内面に設けられる雌ネジ部５ｆとを螺合させてロックネジ６の頭皿部６ａが脚柱部１ａに設けられる係止部１ｇに当接するまで締めることによって、アジャスタ５を適宜位置に係止固定することができる。
【００３４】
このようにして、アジャスタ５の引き出し量を調整し、かつ係止固定させることができ、アジャスタ５のネジ部が露出することを避けることができるようになっている。
またアジャスタ５の座板部５ａの外方向への出っ張りが小さいため、電源コードなどを引っ掛けることもなく、また損傷させることもない。
【実施例３】
【００３５】
以下、本考案に係る理美容椅子のアジャスタ装置の第三の実施例を図面とともに説明する。なお前記の実施例と共通するものは共通の符号を使用するものとする。
図６は第三の実施例のアジャスタを下げた状態の断面図、図７は第二の実施例のアジャスタを上げた状態の断面図、図８は第三の実施例のアジャスタを上げかつ係止固定した状態の断面図、図９は第三の実施例のアジャスタを上げかつ固定した状態で電源コード等との関係を示した断面図である。
【００３６】
アジャスタを上げていない状態図である図６で説明すると、１ｂは前記脚柱部１ａの内面に設けられるアジャスタ挿入孔で、１ｃは前記アジャスタ挿入孔１ｂの内面には設けられる雌ネジ部である。
１ｈは前記脚柱部１ａに設けられるロックネジ挿入孔であり、１ｉは前記ロックネジ挿入孔１ｈの内面に設けられる後述するロックネジ８と螺合するロックネジ用雌ネジ部である。
【００３７】
７はアジャスタであり、７ａはアジャスタ座板部であり、７ｂは前記アジャスタ７の外面部に設けられる雄ネジ部である。
７ｃは前記アジャスタ７の中心部に設けられ、終端部７ｄを有するロックネジ挿通部である。
８はロックネジであり、８ａはロックネジを回転させるための六角孔である。
【００３８】
以上のように構成されていることにより、アジャスタ７の引き出し量を調整して係止させる際の動作について、図７および図８で説明すると、図７より、アジャスタ７を引き出す時は、前記脚柱部１ａ部のアジャスタ挿入孔１ｂの内面には設けられる雌ネジ部１ｃと螺合しているアジャスタ７の外面に設けられる雄ネジ部７ｂをアジャスタ７の座板部７ａを回すことにより、アジャスタ７を下方向に下げ、アジャスタ７の引き出し量を上げる。
【００３９】
次に図８より、アジャスタ７を適宜引き出し位置まで引き出した後、ロックネジ８を六角レンチやドライバーなどで締め込み、ロックネジ挿通部７ｃの終端部７ｄまで前記ロックネジ８を締めるようにする。
該ロックネジ８がロックネジ挿通部７ｃの終端部７ｄに当接した状態でアジャスタ７が係止固定されるようになる。
【００４０】
このようにして、アジャスタ７の引き出し量を容易に調整し、かつ係止させることができ、アジャスタ７のネジ部が露出することを避けることができるようになっている。
また図９に示すように、アジャスタ７の座板部７ａの出っ張りが小さいため、電源コードなどを引っ掛けることもなく、ネジなどの突起部分に引っ掛かって損傷させることもない。
【実施例４】
【００４１】
以下、本考案に係る理美容椅子のアジャスタ装置の第四の実施例を図面とともに説明する。なお前記の実施例と共通するものは共通の符号を使用するものとする。
図１０は第四の実施例のアジャスタを下げた状態の断面図、図１１は第四の実施例のアジャスタを上げた状態の断面図、図１２は第四の実施例のアジャスタを上げかつ係止固定した状態の断面図である。
【００４２】
アジャスタを上げていない状態図である図１０で説明すると、１ａは脚柱部で、１ｂは前記脚柱部１ａの内面に設けられるアジャスタ挿入孔である。
１ｈは前記脚柱部１ａに設けられるロックネジ挿入孔であり、１ｉは前記ロックネジ挿入孔１ｈの内面に設けられる後述するロックネジ１０と螺合するロックネジ用雌ネジ部であり、１ｊは切り溝である。
【００４３】
９はアジャスタであり、９ａは前記アジャスタ９の上方部の外面部に設けられる雄ネジ部である。
９ｃは前記アジャスタ９の中心部に設けられ、終端部９ｃを有するロックネジ挿入孔である。
１１はローレットナットであり、前記切り溝１ｊに設けられ、ローレットナット１１の内面には雌ネジ部１１ａが設けられており、前記アジャスタ９の上方部の外面部に設けられる雄ネジ部９ａと螺合して、該ローレットナット１１を回すことにより、該アジャスタ９を上下動させるようにしている。
【００４４】
以上のように構成されていることにより、アジャスタ９の引き出し量を調整して係止固定させる際の動作について、図１１および図１２で説明すると、図１１より、アジャスタ９の高さを上げる時は、前記ローレットナット１１を回し、アジャスタ９に設けられる雌ネジ部１１ａと螺合しているアジャスタ９を回して下げることにより、前記アジャスタ９は下方向に突き出るようにしてアジャスタ９を引き出す。
【００４５】
次に図１２より、アジャスタ９を適宜引き出し位置まで引き出した後、ロックネジ１０を六角レンチやドライバーなどで締め込み、ロックネジ挿通部９ｂの終端部９ｃまで前記ロックネジ１０を締めるようにする。
該ロックネジ１０がロックネジ挿通部９ｂの終端部９ｃに当接した状態でアジャスタ９が係止固定されるようになる。
【００４６】
このようにして、アジャスタ９の高さを容易に調整し、かつ係止させることができ、アジャスタ９のネジ部を露出することを避けることができるようになっている。
またアジャスタ９の出っ張りがないため、電源コードなどを引っ掛けることもなく、損傷させることもない。
【００４７】
実施例では、六角ネジ孔または皿ネジ等の使用については適宜変更できるものであり、締め付けるためのレンチやドライバーなどは限定しないものとする。
またアジャスタの大きさについては脚の大きさに関係なく適宜設定できるものとし、限定しないものとする。
【図面の簡単な説明】
【００４８】
【図１】本考案に係る理美容椅子の全体図である。
【図２】本考案に係る第一の実施例のアジャスタを下げた状態の断面図である。
【図３】本考案に係る第一の実施例のアジャスタを上げかつ係止固定した状態の断面図である。
【図４】本考案に係る第二の実施例のアジャスタを下げた状態の断面図である。
【図５】本考案に係る第二の実施例のアジャスタを上げかつ係止固定した状態の断面図である。
【図６】本考案に係る第三の実施例のアジャスタを下げた状態の断面図である。
【図７】本考案に係る第三の実施例のアジャスタを上げた状態の断面図である。
【図８】本考案に係る第三の実施例のアジャスタを上げかつ係止固定した状態の断面図である。
【図９】第三の実施例のアジャスタを上げかつ固定した状態で電源コード等との関係を示した断面図である。
【図１０】本考案に係る第四の実施例のアジャスタを下げた状態の断面図である。
【図１１】本考案に係る第四の実施例のアジャスタを上げた状態の断面図である。
【図１２】本考案に係る第四の実施例のアジャスタを上げかつ係止固定した状態の断面図である。
【図１３】従来のアジャスタを下げた状態の断面図である。
【図１４】従来のアジャスタを上げかつ係止固定した状態の断面図である
【図１５】従来のアジャスタを上げかつ固定した状態で電源コード等との関係を示した断面図である。
【符号の説明】
【００４９】
１          脚
１ａ        脚柱部
１ｂ        アジャスタ挿入孔
１ｃ        雌ネジ部
１ｄ        ロックネジ挿入孔
１ｅ        ロックネジ用雌ネジ部
１ｆ        ロックネジ挿通部
１ｇ        係止部
１ｈ        ロックネジ挿入孔
１ｉ        ロックネジ用雌ネジ部
１ｊ        切り溝
２          昇降部
３          昇降杆
４          昇降用ペダル
５          アジャスタ
５ａ        アジャスタ座板部
５ｂ        雄ネジ部
５ｃ        ロックネジ貫通部
５ｄ        皿孔部
５ｅ        ロックネジ挿入孔
５ｆ        雌ネジ部
６          ロックネジ
６ａ        頭皿部
７          アジャスタ
７ａ        アジャスタ座板部
７ｂ        雄ネジ部
７ｃ        ロックネジ挿通部
７ｄ        終端部
８          ロックネジ
８ａ        六角孔
９          アジャスタ
９ａ        雄ネジ部
９ｂ        ロックネジ挿通部
９ｃ        終端部
１０        ロックネジ
１１        ローレットナット
１１ａ      雌ネジ部
【図１】
0003147040.tif 000003
【図２】
0003147040.tif 000004
【図３】
0003147040.tif 000005
【図４】
0003147040.tif 000006
【図５】
0003147040.tif 000007
【図６】
0003147040.tif 000008
【図７】
0003147040.tif 000009
【図８】
0003147040.tif 000010
【図９】
0003147040.tif 000011
【図１０】
0003147040.tif 000012
【図１１】
0003147040.tif 000013
【図１２】
0003147040.tif 000014
【図１３】
0003147040.tif 000015
【図１４】
0003147040.tif 000016
【図１５】
0003147040.tif 000017